(57)【要約】【課題】  コアバック法を用いることなく、また、高度な型調整技術や高度な型加工技術を必要とすることなく、スロットルバルブ３をスロットルボデー１と同一の射出成形金型内で略同時に射出成形することを可能とする。【解決手段】  射出成形金型内に、ボデーキャビティ５７とバルブキャビティ５８とを仕切るようにインサートコア２をセットし、そのインサートコア２のボア内径面３３を、スロットルバルブ３の外周側端面３５を成形する射出成形金型の一部として使用することで、スロットルバルブ３の外周側端面形状が、インサートコア２のボア内径面形状に倣った形状に射出成形されるため、インサートコア２のボア内径面３３とスロットルバルブ３の外周側端面３５との隙間寸法が高精度となり、スロットルバルブ３の全閉時における洩れ空気量が容易に、しかも高精度に狙い通りの空気量となる。【選択図】  図１
2006150875.tif 000002
【特許請求の範囲】
【請求項１】
内燃機関の気筒に連通するスロットルボアが形成されたスロットルボデーと、前記スロットルボア内を流れる吸入空気量を調節するスロットルバルブとを樹脂化し、前記スロットルボデー内部に、前記スロットルボアの一部を形成する円形状空間を有するインサートコアをインサート成形した内燃機関用スロットル装置であって、
前記スロットルボデーと前記スロットルバルブとを、同一の成形金型内で略同時に成形する内燃機関用スロットル装置の製造方法において、
（ａ）前記成形金型内に前記インサートコアをセットして、前記成形金型内に形成されるキャビティを、前記スロットルボデーの製品形状に対応した形状のボデーキャビティと前記スロットルバルブの製品形状に対応した形状のバルブキャビティとに少なくとも２分割する第１工程と、
（ｂ）前記インサートコアのボア内径面を、前記スロットルバルブの外周側端面を形成する前記成形金型の一部として使用して、前記ボデーキャビティおよび前記バルブキャビティ内に溶融状態の樹脂材料を射出して充填する第２工程と
を備えたことを特徴とする内燃機関用スロットル装置の製造方法。
【請求項２】
請求項１に記載の内燃機関用スロットル装置の製造方法において、
前記成形金型は、前記ボデーキャビティ内に前記溶融状態の樹脂材料を射出する第１樹脂注入口と、この第１樹脂注入口に対して独立して設けられて、前記バルブキャビティ内に前記溶融状態の樹脂材料を射出する第２樹脂注入口とを有していることを特徴とする内燃機関用スロットル装置の製造方法。
【請求項３】
請求項１または請求項２に記載の内燃機関用スロットル装置の製造方法において、
前記成形金型は、前記円形状空間の断面形状に対応した形状の可動型を有し、
前記可動型は、前記インサートコアのボア内径面との間に環状空隙を形成する外周部を有し、前記インサートコア内を前記円形状空間の中心軸線方向に移動可能に設置されており、
前記可動型には、前記インサートコアのボア内径面に接触すると共に、前記環状空隙をシールするシール部材が一体的に組み付けられており、
前記シール部材は、前記インサートコアのボア内径面よりも軟らかい材料によって形成されていることを特徴とする内燃機関用スロットル装置の製造方法。
【請求項４】
請求項１ないし請求項３のうちのいずれか１つに記載の内燃機関用スロットル装置の製造方法において、
前記インサートコアは、前記スロットルバルブを前記スロットルボデーと略同時に成形する際に変形しない材料によって形成されていることを特徴とする内燃機関用スロットル装置の製造方法。
【請求項５】
請求項１ないし請求項４のうちのいずれか１つに記載の内燃機関用スロットル装置の製造方法において、
前記スロットルバルブは、前記スロットルボアの中心軸線方向に対して略直交する方向に回転中心軸線を有するスロットルシャフトを一体的に組み付けており、
前記スロットルシャフトの回転中心軸線方向の一端部または両端部は、前記スロットルバルブの外周側端面から前記インサートコア側に突き出すように設置されており、
前記インサートコアには、前記スロットルシャフトの一端部または両端部が貫通する貫通孔が設けられていることを特徴とする内燃機関用スロットル装置の製造方法。
【請求項６】
請求項５に記載の内燃機関用スロットル装置の製造方法において、
前記インサートコアの貫通孔の内周には、前記スロットルシャフトの回転中心軸線方向の一端部または両端部を回転方向に摺動自在に軸支する摺動孔を有する軸受部材が圧入嵌合されていることを特徴とする内燃機関用スロットル装置の製造方法。
【請求項７】
請求項５に記載の内燃機関用スロットル装置の製造方法において、
前記インサートコアは、耐摩耗性に優れる軸受材料によって形成されており、
前記貫通孔は、前記スロットルシャフトの回転中心軸線方向の一端部または両端部を回転方向に摺動自在に軸支する摺動孔を構成していることを特徴とする内燃機関用スロットル装置の製造方法。
【発明の詳細な説明】
【技術分野】
【０００１】
本発明は、自動車等の車両に搭載される内燃機関用スロットル装置の製造方法に関するもので、特にスロットルボデーとスロットルバルブとを同一の成形金型内で略同時に成形することが可能な内燃機関用スロットル装置の成形方法に係わる。
【背景技術】
【０００２】
［従来の技術］
近年、低燃費化、軽量化および低コスト化等の目的から、スロットルボデーとスロットルバルブとを共に樹脂化した内燃機関用スロットル装置が提案されている。また、従来より、車両乗員によるアクセルペダルの踏み込み量に対応してスロットルバルブのバルブ角度を変更するようにした内燃機関用スロットル装置においては、スロットルボデー内部に形成されるスロットルボアの内径面（ボア内径面）と、スロットルバルブの外周側端面との間に形成される隙間が、スロットルバルブの全閉時における洩れ空気量に大きな影響を及ぼすことが知られている。
【０００３】
従来の内燃機関用スロットル装置では、スロットルボデーのボア内径面とスロットルバルブの外周側端面との隙間を高精度に制御するため、成形品としてのスロットルボデーのボア内径面を、スロットルバルブの外周側端面を成形するための成形金型の一部として使用するコアバック成形方法が知られている（例えば、特許文献１参照）。また、成形金型を微調整して、スロットルボデーのボア内径面とスロットルバルブの外周側端面との隙間の精度を上げる方法や、スロットルバルブを別体で作り、後からスロットルボデーに組み付ける方法等が提案、実用化されている。
【０００４】
［従来の技術の不具合］
ところが、特許文献１に記載のコアバック成形方法においては、スロットルボデーを成形した後にスロットルバルブを成形することになるため、サイクルタイムが遅くなり、生産性が悪いという問題がある。また、スロットルボデーとスロットルバルブとが同一の樹脂材料で樹脂成形される場合に、スロットルボデーのボア内径面にスロットルバルブの外周側端面が引っ付いてしまう可能性がある。また、スロットルボアの真円度の精度が良くないため、スロットルバルブの真円度が悪いという問題がある。
また、成形金型を微調整して精度を上げる方法については、高度な型調整技術や高度な型加工技術が必要なため、海外拠点等どこでも対応できる方法ではない。
また、スロットルバルブを別体で作り、後からスロットルボデーに組み付ける方法については、組み付けコストが余分にかかるという問題がある。
【０００５】
ここで、樹脂化したスロットルボデーの円筒状溝に金属インサートを嵌合した構造が提案されている（例えば、特許文献２参照）。
しかしながら、特許文献２に記載のスロットルボデーは、樹脂の熱伝導率の低さに起因するアイシング等を防止する目的で、熱伝導性の良い金属インサートを用いてエンジンの冷却水の熱でスロットルボア内が凍結するのを防止するためのものである。したがって、スロットルボデーとスロットルバルブとを同一の成形金型内で同時に成形することを目的としていないことから、このままでは目的のものを得ることができない。
【０００６】
その理由は、スロットルバルブをスロットルボデーと同時に成形しようとすると、成形金型を金属インサート内部に挿入する必要があるが、金属インサートと成形金型との間の微小隙間（クリアランス）を狭くすると、金属インサートの内周面に成形金型がかじり金属インサートの内周面にキズを付けてしまうという問題がある。また、逆に金属インサートと成形金型との間のクリアランスを広くすると、加熱されて溶融状態の樹脂材料を成形金型内に射出して充填する際に樹脂材料がクリアランスに侵入してしまい、スロットルバルブの外周側端面に大きなバリが形成されてしまうという問題がある。
【特許文献１】特許第３３１５１３５号公報（第１−７頁、図１−図７）
【特許文献２】実開平６−４９７５６号公報（第１−２頁、図１−図３）
【発明の開示】
【発明が解決しようとする課題】
【０００７】
本発明の目的は、高度な型調整技術や高度な型加工技術を必要とすることなく、スロットルボデーとスロットルバルブとを同一の成形金型内で略同時に射出成形することのできる内燃機関用スロットル装置の製造方法を提供することにある。
【課題を解決するための手段】
【０００８】
請求項１に記載の発明によれば、成形金型（例えば射出成形金型）内にインサートコアをセットして、成形金型内に形成されるキャビティを、スロットルボデーの製品形状に対応した形状のボデーキャビティとスロットルバルブの製品形状に対応した形状のバルブキャビティとに少なくとも２分割する。そして、インサートコアのボア内径面を、スロットルバルブの外周側端面を形成する成形金型の一部として使用して、ボデーキャビティおよびバルブキャビティ内に溶融状態の樹脂材料を射出して充填する。これによって、高度な型調整技術や高度な型加工技術を必要とすることなく、スロットルボデーとスロットルバルブとが、同一の成形金型内で略同時に射出成形されると共に、スロットルボデー内部にインサートコアがインサート成形される。
【０００９】
このとき、スロットルバルブの外周側端面は、インサートコアの内径寸法に倣った形状に成形されるため、インサートコアのボア内径面とスロットルバルブの外周側端面との隙間寸法が高精度となり、スロットルバルブの全閉時における洩れ空気量が容易に、しかも高精度に狙い通りの空気量となる。また、スロットルボデーとスロットルバルブとを略同時に射出成形することが可能となるため、サイクルタイムが早くなり、生産性を向上することができる。また、組み付けコストを必要とすることなく、スロットルボデーとスロットルバルブとを樹脂化し、スロットルボデー内部にインサートコアをインサート成形した内燃機関用スロットル装置を製造することができる。
【００１０】
請求項２に記載の発明によれば、成形金型に、ボデーキャビティ内に溶融状態の樹脂材料を射出する第１樹脂注入口と、バルブキャビティ内に溶融状態の樹脂材料を射出する第２樹脂注入口とを互いに独立して設けることにより、同一の成型金型内で、且つ同時に射出成形してもランナーを取り去った後は、後加工無くスロットルバルブを独立に可動させることができる。また、成形金型のボデーキャビティと成形金型のバルブキャビティとの境界面には、インサートコアが設置されているので、第１樹脂注入口から射出された溶融状態の樹脂材料と第２樹脂注入口から射出された溶融状態の樹脂材料とが仮に同一の樹脂材料であっても引っ付くことはなく、スロットルボデーの成形不良等の不良品およびスロットルバルブの成形不良等の不良品が少なくなり、スロットルボデーとスロットルバルブとを共に樹脂化した内燃機関用スロットル装置の不良率を低下させることができる。
【００１１】
請求項３に記載の発明によれば、インサートコアのボア内径面と可動型の外周部との間に形成される環状空隙が仮に広く、インサートコア内を円形状空間の中心軸線方向に可動型を移動させた場合、その環状空隙がシール材によりシールされるので、溶融状態の樹脂材料が成形金型のバルブキャビティから環状空隙内に侵入することはなく、スロットルバルブの外周側端面に大きなバリが形成されることはない。また、インサートコアのボア内径面と可動型の外周部との間に形成される環状空隙が仮に狭く、インサートコア内を円形状空間の中心軸線方向に可動型を移動させた場合、シール部材がインサートコアのボア内径面よりも軟らかい材料によって形成されているので、シール材がインサートコアのボア内径面を傷付けることはない。
【００１２】
請求項４に記載の発明によれば、成形金型（例えば射出成形金型）内にインサートコアをセットして、スロットルバルブをスロットルボデーと略同時に成形する際に熱や圧力で変形しない材料（例えば金属材料、セラミックス、樹脂材料等）によってインサートコアを形成し、更に成形金型内にインサートコアをセットする前に予めインサートコアのボア内径面の内径寸法を高精度に加工しておけば、スロットルバルブの外周側端面形状が、インサートコアのボア内径面形状に倣うように形成されるため、スロットルバルブの真円度を高精度に確保することができる。
【００１３】
請求項５に記載の発明によれば、スロットルバルブは、スロットルボデーのスロットルボアの中心軸線方向に対して略直交する方向に回転中心軸線を有するスロットルシャフトを一体的に組み付けている。例えばスロットルシャフトをスロットルバルブ内部にインサート成形している。そして、スロットルシャフトの回転中心軸線方向の一端部または両端部は、スロットルバルブの外周側端面からインサートコア側に突き出すように設置されている。そして、インサートコアに、スロットルシャフトの一端部または両端部が貫通する貫通孔を設けている。
【００１４】
請求項６に記載の発明によれば、インサートコアの貫通孔の内周に、スロットルシャフトの回転中心軸線方向の一端部または両端部を回転方向に摺動自在に軸支する摺動孔を有する軸受部材を圧入嵌合している。なお、軸受部材は、スロットルボデーとスロットルバルブの略同時成形の前に、インサートコアの貫通孔の内周に圧入嵌合されて、成形金型内にインサートコアをセットする際に、成形金型（例えば射出成形金型）内に軸受部材もセットされるようにしても良い。また、軸受部材は、スロットルボデーとスロットルバルブの略同時成形の後に、インサートコアの貫通孔の内周に圧入嵌合されるようにしても良い。これによって、インサートコアの貫通孔の中心軸線または軸受部材の摺動孔の中心軸線とスロットルシャフトの回転中心軸線との同軸度を高精度に確保することができる。
【００１５】
請求項７に記載の発明によれば、インサートコアを、耐摩耗性に優れる軸受材料によって形成している。そして、貫通孔は、スロットルシャフトの回転中心軸線方向の一端部または両端部を回転方向に摺動自在に軸支する摺動孔として機能している。これによって、インサートコアの貫通孔の内周に軸受部材を圧入嵌合する必要はなく、組付コストを削減できる。また、インサートコアの貫通孔の中心軸線とスロットルシャフトの回転中心軸線との同軸度を高精度に確保することができる。
【発明を実施するための最良の形態】
【００１６】
本発明を実施するための最良の形態は、高度な型調整技術や高度な型加工技術を必要とすることなく、スロットルボデーとスロットルバルブとを同一の成形金型内で略同時に射出成形するという目的を、成形金型内にインサートコアをセットし、インサートコアを、成形金型の一部として使用してスロットルバルブを成形することで実現した。
【実施例１】
【００１７】
［実施例１の構成］
図１および図２は本発明の実施例１を示したもので、図１は射出成形金型の概略構造を示した図で、図２（ａ）は内燃機関用スロットル装置の主要構造を示した図で、図２（ｂ）はインサートコアを示した図である。
【００１８】
本実施例の内燃機関用スロットル装置は、例えばガソリンエンジン等の内燃機関（以下エンジンと言う）の各気筒（シリンダ）に連通するスロットルボデー１と、このスロットルボデー１内部にインサート成形されたインサートコア２と、スロットルボデー１およびインサートコア２内を流れる吸入空気の流量を調節するスロットルバルブ３と、このスロットルバルブ３を開弁方向（または閉弁方向）に回転駆動するバルブ駆動手段としての動力ユニット（図示せず）と、スロットルバルブ３を閉弁方向（または開弁方向）に付勢するバルブ付勢手段としてのリターンスプリング５と、運転者（ドライバー）のアクセル操作量に応じてスロットルバルブ３の弁開度（スロットル開度）を制御するエンジン制御装置（エンジン制御ユニット：以下ＥＣＵと呼ぶ）とを備えている。
【００１９】
なお、本実施例の動力ユニットは、動力源である駆動モータ（図示せず）と、駆動モータの回転速度を所定の減速比となるように減速するもので、歯車減速機構とを含んで構成されている。ここで、ＥＣＵには、ドライバーによるアクセル操作量（アクセルペダルの踏み込み量）を電気信号（アクセル開度信号）に変換し、ＥＣＵへどれだけアクセルペダルが踏み込まれているかを出力するアクセル開度センサ（図示せず）が接続されている。また、内燃機関用スロットル装置は、スロットルバルブ３の弁開度（回転角度）を電気信号（スロットル開度信号）に変換し、ＥＣＵへどれだけスロットルバルブ３が開かれているかを出力する回転角度センサ（スロットルポジションセンサ：図示せず）を有している。そして、ＥＣＵは、回転角度センサより出力されるスロットル開度信号とアクセル開度センサより出力されるアクセル開度信号との偏差がなくなるように駆動モータへの制御信号をフィードバック制御している。
【００２０】
ここで、回転角度センサは、後記するスロットルシャフト４の一端部または他端部に取り付けられる磁界発生源である分割型の永久磁石（マグネット）およびこのマグネットによって磁化される分割型のヨークの内周面に対向して配置されて、マグネットの磁力を受けて、スロットルバルブ３の回転角度を検出する非接触式の検出素子（例えばホール素子、ホールＩＣ、磁気抵抗素子等）によって構成されている。なお、回転角度センサは、スロットルボデー１の外壁部に組み付けられるセンサカバー（図示せず）に一体的に配置されている。また、マグネットおよびヨークは、歯車減速機構の構成要素の１つであるバルブギヤ６の内周面に接着剤を用いて固定されている。
【００２１】
ここで、歯車減速機構は、駆動モータのモータシャフトに固定されたピニオンギヤ（図示せず）と、このピニオンギヤと噛み合って回転する中間減速ギヤ（図示せず）と、この中間減速ギヤと噛み合って回転するバルブギヤ６とによって構成され、駆動モータの回転動力をスロットルシャフト４に伝達する動力伝達機構として利用されている。バルブギヤ６は、例えば樹脂材料によって所定の略円環形状に一体的に形成されており、そのバルブギヤ６の外周面には、中間減速ギヤと噛み合うギヤ部（歯状部）１１が一体的に形成されている。また、バルブギヤ６の外周部には、スロットルバルブ３が全閉位置まで閉じた際に、全閉ストッパに係止される全閉ストッパ部（図示せず）が一体的に形成されている。なお、バルブギヤ６の外周部に、スロットルバルブ３が全開位置まで開いた際に、全開ストッパに係止される全開ストッパ部を一体的に形成しても良い。
【００２２】
また、バルブギヤ６のボア壁部側面（ボデー側面）から図示左方向に向かって突出するように一体的に形成された円筒状部１２内には、リターンスプリング５が装着されている。リターンスプリング５は、スロットルシャフト４の外周側に装着されたコイルスプリングよりなる。このリターンスプリング５の一端部は、スロットルボデー１の円筒部１３の外壁面、つまりギヤボックス部（図示せず）の底壁面に設けられたボデー側フック（図示せず）に保持され、また、リターンスプリング５の他端部は、バルブギヤ６のボア壁部側面（ボデー側面）に設けられたギヤ側フック（図示せず）に保持されている。
【００２３】
本実施例のスロットルボデー１は、内部にスロットルバルブ３を開閉自在に収容すると共に、エンジンの各気筒内に吸入される吸入空気が中心軸線方向に流れる円筒部（スロットルボア壁部）１３を有し、且つこの円筒部１３内にエンジンに向かう吸入空気（エア）が流れる円形状のスロットルボア１４を形成するスロットルハウジングであって、スロットルボア１４内にスロットルバルブ３を全閉位置から全開位置に至るまで回動方向に回転自在に保持する装置であり、エンジンのインテークマニホールドに固定用ボルトまたは締結用ネジ等の締結具（図示せず）を用いて締め付け固定されている。なお、本実施例では、エアクリーナで濾過された吸入空気が、吸気管を経て図示上方側からスロットルボア１４内に流入し、スロットルボデー１の図示下方側に接続されるインテークマニホールドを経てエンジンの各気筒に吸入されるように構成されている。
【００２４】
ここで、本実施例のスロットルボデー１の円筒部１３は、例えば熱可塑性樹脂等の樹脂材料（例えばポリフェニレンサルファイド：ＰＰＳ、またはポリブチレンテレフタレート：ＰＢＴ、またはポリアミド樹脂：ＰＡ、またはポリプロピレン：ＰＰ、またはポリエーテルイミド：ＰＥＩ等の耐熱性樹脂）を射出成形金型内に射出することによって略円管形状となるように一体的に形成されている。なお、スロットルボデー１の円筒部１３は、吸入空気の流れ方向（図示上端側から図示下端側に向かう方向）に渡って略同一の内径および外径となるように樹脂成形されている。
【００２５】
また、スロットルボデー１の円筒部１３には、スロットルシャフト４の両端部の第１、第２軸受摺動部を回転自在に支持する第１、第２バルブ軸受部１５、１６が樹脂成形によって一体的に形成されている。これらの第１、第２バルブ軸受部１５、１６には、丸穴形状の第１、第２シャフト貫通孔２１、２２が設けられている。本実施例では、第１、第２バルブ軸受部１５、１６の外壁面を、スロットルボデー１の円筒部１３の外壁面と同一平面上となるように設けているが、第１、第２バルブ軸受部１５、１６の外壁面が、スロットルボデー１の円筒部１３の外壁面よりも軸方向の両端側（外方側）に突出するように設けても良い。この場合には、第１、第２バルブ軸受部１５、１６は、略円筒状に形成される。
【００２６】
また、スロットルボデー１の円筒部１３の外壁面には、歯車減速機構の各減速ギヤを回転自在に収容するためのギヤボックス部（図示せず）、および内部に駆動モータを収容固定するためのモータハウジング部（図示せず）等が樹脂成形によって一体的に形成（樹脂一体成形）されている。ギヤボックス部には、スロットルバルブ３の全閉方向の回転動作を、スロットルバルブ３の全閉位置にて規制するための全閉ストッパ（図示せず）が樹脂成形で一体的に形成されている。なお、ギヤボックス部に、スロットルバルブ３の全開方向の回転動作を、スロットルバルブ３の全開位置にて規制するための全開ストッパを樹脂成形で一体的に形成しても良い。また、スロットルボデー１の円筒部１３の一端部には、エンジンのインテークマニホールド（またはサージタンク）にスロットルボデー１を固定ボルトや締結ネジ等の締結具を用いて締め付け固定される取付フランジ部２３が設けられている。ここで、本実施例のスロットルボデー１の円筒部１３の内壁面には、インサートコア２を嵌め込むための円筒状の嵌合溝２４が設けられている。
【００２７】
インサートコア２は、例えば真鍮、ステンレス鋼等の金属材料によって円筒状に形成された円筒体であって、内部にスロットルボア１４の一部を形成する円形状空間２５が設けられている。また、インサートコア２には、スロットルシャフト４の両端部が貫通する丸穴形状の第１、第２シャフト貫通孔３１、３２が設けられている。そして、インサートコア２の内周には、ボア内壁面（以下ボア内径面と言う）３３が形成され、また、インサートコア２の外周には、スロットルボデー１の円筒部１３の嵌合溝２４に密着する外壁面３４が形成されている。
【００２８】
なお、本実施例では、インサートコア２の円形状空間２５の断面形状が真円形状となるように成形（または内径切削加工または内径研磨加工）することで、インサートコア２のボア内径面３３とスロットルバルブ３の外周側端面３５との隙間精度を向上させている。また、インサートコア２の中心軸線方向の寸法は、スロットルバルブ３のバルブ角度が吸入空気量を最小とする全閉位置の時にインサートコア２のボア内径面３３にスロットルバルブ３の外周側端面３５が直接当接することが可能な長さに設けられる。また、インサートコア２の中心軸線方向に対して略直交する半径方向の肉厚寸法は、インサートコア２の外壁面３４がスロットルボデー１の円筒部１３の外壁面より露出せず、しかもインサートコア２のボア内径面３３が後記する固定金型５１および可動金型５２のコア保持部で保持することが可能な寸法範囲に設定されている。
【００２９】
本実施例のスロットルバルブ３は、スロットルボデー１の円筒部１３の中心軸線方向に対して略直交する方向に回転中心軸線を有する略円板形状のバタフライ型の回転弁で、全閉位置から全開位置まで回転角度が変更されることで、エンジンの各気筒内に吸入される吸入空気量を制御する。このスロットルバルブ３は、略円板形状の樹脂ディスク（板状部）４１、略円筒形状の樹脂シャフト（円筒状部、軸状部）４２等によって構成されている。これらの樹脂ディスク４１および樹脂シャフト４２は、例えば熱可塑性樹脂等の樹脂材料（例えばポリフェニレンサルファイド：ＰＰＳ、またはポリブチレンテレフタレート：ＰＢＴ、またはポリアミド樹脂：ＰＡ、またはポリプロピレン：ＰＰ、またはポリエーテルイミド：ＰＥＩ等の耐熱性樹脂）を射出成形金型内に射出することによって略円板形状となるように一体的に形成されている。
【００３０】
また、スロットルバルブ３の樹脂シャフト４２は、スロットルシャフト４のバルブ保持部の外周に樹脂成形で一体的に形成されている。これにより、スロットルバルブ３とスロットルシャフト４とが一体化されて一体的に回転することが可能となる。また、スロットルバルブ３の樹脂ディスク４１の外周には、インサートコア２のボア内径面３３の形状に倣わせた形状の外周側端面３５が形成されている。なお、樹脂ディスク４１の片端面（例えばスロットルボア１４内を流れる吸入空気の流れ方向の上流側面）または両端面に、樹脂ディスク４１を補強するための補強用リブ（図示せず）が樹脂成形で一体的に形成しても良い。
【００３１】
本実施例のスロットルシャフト４は、例えば真鍮、ステンレス鋼等の金属材料によって中軸丸棒状に形成された金属シャフト（回転軸）であって、スロットルボデー１の円筒部１３のスロットルボア１４内を流れる吸入空気の流れ方向に略直交する方向、つまりインサートコア２の中心軸線方向に対して略直交する方向に回転中心軸線方向（軸方向）が設定されている。このスロットルシャフト４の軸方向の両端部は、インサートコア２の第１、第２シャフト貫通孔３１、３２を貫通し、更にスロットルボデー１の円筒部１３の第１、第２シャフト貫通孔２１、２２を貫通して第１、第２バルブ軸受部１５、１６に回転自在に軸支されている。
【００３２】
そして、スロットルシャフト４の軸方向の中央部寄りに設けられる最小径部は、スロットルバルブ３を保持固定するバルブ保持部として機能し、スロットルバルブ３の樹脂ディスク４１および樹脂シャフト４２を補強すると共に、樹脂シャフト４２内部にインサート成形されている。そして、スロットルシャフト４の回転中心軸線方向（軸方向）の一端側に設けられる最大径部は、スロットルバルブ３の樹脂シャフト４２の一端側の環状端面より露出（突出）して、スロットルボデー１の円筒部１３の第１バルブ軸受部１５に回転自在に摺動する第１軸受摺動部として機能している。また、スロットルシャフト４の回転中心軸線方向（軸方向）の他端側に設けられる最大径部は、スロットルボデー１の円筒部１３の第２バルブ軸受部１６に回転自在に摺動する第２軸受摺動部として機能する。
【００３３】
なお、スロットルシャフト４の第１軸受摺動部の外周面とスロットルボデー１の円筒部１３の第１シャフト貫通孔２１の内周面との間には、スロットルシャフト４を第１バルブ軸受部１５内で回転自在に摺動させるために、１０〜２０μｍ程度の環状隙間が形成されている。また、スロットルシャフト４の第２軸受摺動部の外周面とスロットルボデー１の円筒部１３の第２シャフト貫通孔２２の内周面との間には、スロットルシャフト４を第２バルブ軸受部１６内で回転自在に摺動させるために、１０〜２０μｍ程度の環状隙間が形成されている。そして、スロットルシャフト４の図示右端部（他端部）には、歯車減速機構の構成要素の１つであるバルブギヤ６がかしめ等の固定手段を用いて組み付けられている。なお、スロットルボデー１の円筒部１３の第１、第２バルブ軸受部１５、１６の内周に、スロットルシャフト４の軸方向の両端部（第１、第２軸受摺動部）を回転方向に摺動自在に軸支する摺動孔を有する軸受部材を圧入嵌合しても良い。
【００３４】
［実施例１の製造方法］
次に、本実施例の内燃機関用スロットル装置の射出成形方法を図１および図２に基づいて簡単に説明する。
【００３５】
本実施例の射出成形金型（樹脂成形用金型）は、図示しない射出成形機に装着されており、図１に示したように、主に固定金型（固定型）５１と、この固定金型５１に対して図示上下方向に進退（接近・離間、接離）自在に移動可能な可動金型（可動型）５２とで構成されている。固定金型５１は、例えばスロットルボデー１の円筒部１３のボア内径およびインサートコア２のボア内径と外径寸法が略一致した略円柱形状の固定型入れ子５３を有している。また、固定型入れ子５３の図示上端面（型割り面、パーティングライン）は、スロットルバルブ３の樹脂ディスク４１および樹脂シャフト４２の吸入空気の流れ方向の下流側面上に位置している。
【００３６】
また、可動金型５２は、例えばスロットルボデー１の円筒部１３のボア内径およびインサートコア２のボア内径と外径寸法が略一致した略円柱形状の可動型入れ子５４を有している。また、可動型入れ子５４の図示下端面（型割り面、パーティングライン）は、スロットルバルブ３の樹脂ディスク４１および樹脂シャフト４２の吸入空気の流れ方向の上流側面上に位置している。なお、本実施例では、固定金型５１と固定型入れ子５３とを一体化しているが、別体としても良い。また、本実施例では、可動金型５２と可動型入れ子５４とを一体化しているが、別体としても良い。さらに、固定金型５１と可動金型５２とを入れ換えても、また、両方とも可動金型としても良い。
【００３７】
また、固定金型５１と可動金型５２との間は、固定金型５１および可動金型５２に対して図示左右方向に進退（接近・離間、接離）自在に移動可能な分割型のスライドコア５５、５６が介在している。これらのスライドコア５５、５６は、略半円筒形状に形成されており、内周面（型割り面、パーティングライン）は、例えばスロットルボデー１の円筒部１３の外径と内径寸法が略一致している。ここで、インサートコア２は、スロットルボデー１と同一の射出成形金型内で、スロットルバルブ３をスロットルボデー１と略同時に樹脂成形（射出成形）する際に、スロットルボデー１の円筒部１３の嵌合溝２４にインサート成形されるように、射出成形金型に設けられるコア保持部（図示せず）によってインサートコア２の内周部が保持されている。なお、コア保持部は、固定金型５１の固定型入れ子５３および可動金型５２の可動型入れ子５４に設けられる。
【００３８】
また、スロットルシャフト４の軸方向の両端部は、スロットルボデー１の円筒部１３の第１、第２バルブ軸受部１５、１６に回転自在に支持される第１、第２軸受摺動部として機能するものであり、また、スロットルボデー１の円筒部１３のスロットルボア１４内に位置する中央部分は、スロットルバルブ３の樹脂シャフト４２を保持固定するバルブ保持部として機能するものである。このため、スロットルシャフト４は、スロットルボデー１と同一の射出成形金型内で、スロットルバルブ３をスロットルボデー１と略同時に樹脂成形（射出成形）する際に、スロットルバルブ３の樹脂シャフト４２内部にインサート成形されるように、射出成形金型に設けられる第１、第２シャフト保持部（図示せず）によってスロットルシャフト４の軸方向の両端部が保持されている。なお、第１、第２シャフト保持部は、固定金型５１の固定型入れ子５３および可動金型５２の可動型入れ子５４に設けられる。
【００３９】
そして、本実施例では、射出成形金型を型締めした際に、固定金型５１の型割り面と可動金型５２の型割り面と固定型入れ子５３の外周面（型割り面）と可動型入れ子５４の外周面（型割り面）とスライドコア５５、５６の内周面（型割り面）とインサートコア２の外壁面３４との間に、スロットルボデー１の製品形状に対応した形状のボデーキャビティ５７が形成されている。なお、ボデーキャビティ５７は、スロットルボデー１の円筒部１３（取付フランジ部２３等を含む）の製品形状に対応した形状の第１ボデーキャビティ、スロットルボデー１のギヤボックス部の製品形状に対応した形状の第２ボデーキャビティ、および内部に駆動モータを収容固定するためのモータハウジング部の製品形状に対応した形状の第３ボデーキャビティによって構成されている。
【００４０】
また、本実施例では、射出成形金型を型締めした際に、固定型入れ子５３の図示上端面（型割り面）と可動型入れ子５４の図示下端面（型割り面）とインサートコア２のボア内径面３３との間に、スロットルバルブ３の製品形状に対応した形状のバルブキャビティ５８が形成されている。なお、バルブキャビティ５８は、スロットルバルブ３の樹脂ディスク４１の製品形状に対応した形状の第１バルブキャビティ、およびスロットルバルブ３の樹脂シャフト４２の製品形状に対応した形状の第２バルブキャビティによって構成されている。
【００４１】
なお、第１〜第３ボデーキャビティは、互いに連通しているが、第１、第２バルブキャビティは、第１〜第３ボデーキャビティとの間がインサートコア２によって仕切られている。また、第１〜第３ボデーキャビティと第１、第２バルブキャビティとは、射出成形金型内に樹脂材料を供給する樹脂材料供給装置（図示せず）に接続されている。この樹脂材料供給装置は、射出成形金型内に樹脂材料を送り込む複数の樹脂流路（図示せず）の先端部に、スロットルボデー１を成形するためのボデーキャビティ５７内に加熱されて溶融状態の樹脂材料（例えばＰＰＳまたはＰＢＴ等の熱可塑性樹脂よりなる溶融樹脂）を射出するための１つまたは２つ以上のボデーゲート（第１ゲート、第１樹脂注入口：図示せず）と、スロットルバルブ３を成形するためのバルブキャビティ５８内に加熱されて溶融状態の樹脂材料（例えばＰＰＳまたはＰＢＴ等の熱可塑性樹脂よりなる溶融樹脂）を射出するための１つまたは２つ以上のバルブゲート（第２ゲート、第２樹脂注入口：図示せず）とを有している。
【００４２】
次に、本実施例の内燃機関用スロットル装置の製造工程、すなわち、スロットルボデー１とスロットルバルブ３とを樹脂化する目的で、スロットルボデー１とスロットルバルブ３とを、同一の射出成形金型内で略同時に射出成形する射出成形工程を簡単に説明する。先ず、射出成形金型内にインサートコア２およびスロットルシャフト４をセットし、射出成形金型の型締めを行う（第１工程、型締め工程）。これにより、射出成形金型内に形成されるキャビティは、スロットルボデー１の製品形状に対応した形状のボデーキャビティ５７とスロットルバルブ３の製品形状に対応した形状のバルブキャビティ５８とに液密的に区画（２分割）される。
【００４３】
次に、射出成形金型によって形成される上記のボデーキャビティ５７およびバルブキャビティ５８内に、加熱されて溶融状態の樹脂材料が１つまたは２つ以上のボデーゲートおよびバルブゲートから射出され、ボデーキャビティ５７およびバルブキャビティ５８内に樹脂材料を充填する（第２工程、射出・充填工程）。このとき、射出成形金型のコア保持部に保持されたインサートコア２のボア内径面３３が、スロットルバルブ３の樹脂ディスク４１の外周側端面３５を成形する射出成形金型の一部として使用される。
【００４４】
次に、射出成形金型内樹脂圧力（ボデーキャビティ５７およびバルブキャビティ５８内の樹脂圧力）を徐々に増加させて射出時の最大樹脂圧力よりも大きな樹脂圧力で保圧を行う。すなわち、射出成形金型内の樹脂材料に所定の圧力を加えて、射出成形金型内に冷却水を導入し、この冷却水による収縮分の樹脂材料を、１つまたは２つ以上のボデーゲートおよびバルブゲートからボデーキャビティ５７およびバルブキャビティ５８内に補充する（保圧工程）。
【００４５】
次に、射出成形金型のボデーキャビティ５７およびバルブキャビティ５８内に充填された樹脂材料を取り出し、冷却して硬化（固化）させるか、あるいは射出成形金型のキャビティ内で樹脂材料を冷却水等を用いて冷却して硬化（固化）させると、スロットルボデー１の円筒部１３内部にスロットルバルブ３が回転自在に組み込まれた製品形状の樹脂成形品が、樹脂部材の射出成形によって製造される。このとき、インサートコア２は、スロットルボデー２の円筒部１３の内周にインサート成形される。また、スロットルシャフト４も、スロットルバルブ３の樹脂シャフト４２内部にインサート成形される。
【００４６】
そして、インサートコア２のボア内径面３３を、スロットルバルブ３の樹脂ディスク４１の外周側端面３５を成形する射出成形金型の一部として使用しているので、スロットルバルブ３の樹脂ディスク４１の外周側端面形状がインサートコア２のボア内径面形状に倣い、インサートコア２のボア内径面３３とスロットルバルブ３の樹脂ディスク４１の外周側端面３５との間の隙間が必要最小限の隙間、つまりインサートコア２の円形状空間２５内をスロットルバルブ３が回転可能な隙間となる。
【００４７】
［実施例１の作用］
次に、本実施例の内燃機関用スロットル装置の作用を図１および図２に基づいて簡単に説明する。
【００４８】
ドライバーがアクセルペダルを踏み込むと、アクセル開度センサよりアクセル開度信号がＥＣＵに入力される。そして、ＥＣＵによってスロットルバルブ３が所定のスロットル開度（回転角度）となるように駆動モータが通電されて、駆動モータのモータシャフトが回転する。そして、駆動モータのトルクが、ピニオンギヤ、中間減速ギヤおよびバルブギヤ６に伝達される。これにより、バルブギヤ６が、リターンスプリング５の付勢力に抗してアクセルペダルの踏み込み量（アクセル操作量）に対応した回転角度だけ回転する。したがって、バルブギヤ６が回転するので、スロットルシャフト４がバルブギヤ６と同じ回転角度で回転し、スロットルバルブ３が全閉位置より全開位置側へ開く方向（全開方向）に回転駆動される。この結果、インサートコア２の円形状空間２５内に形成されたスロットルボア１４が所定の回転角度だけ開かれるので、エンジンの回転速度がアクセルペダルの踏み込み量（アクセル操作量）に対応した速度に変更される。
【００４９】
逆に、ドライバーがアクセルペダルから足を離すと、リターンスプリング５の付勢力によりスロットルバルブ３、スロットルシャフト４、バルブギヤ６およびアクセルペダル等が元の位置（アイドリング位置、スロットルバルブ３の全閉位置）まで戻される。なお、ドライバーがアクセルペダルを戻すと、アクセル開度センサよりアクセル開度信号（０％）が出力されるので、ＥＣＵによってスロットルバルブ３が全閉時の弁開度（バルブ開度）となるように駆動モータを通電して、駆動モータのモータシャフトを逆回転させるようにしても良い。この場合には、駆動モータによってスロットルバルブ３を全閉方向に回転駆動できる。
【００５０】
このとき、バルブギヤ６に設けられる全閉ストッパ部が、スロットルボデー１のギヤボックス部に樹脂成形された全閉ストッパに当接するまで、リターンスプリング５の付勢力によりスロットルバルブ３が全開位置側より全閉位置側へ閉じる方向（全閉方向）に回転する。そして、全閉ストッパによって、スロットルバルブ３の全閉方向のそれ以上の回転動作が規制されるので、インサートコア２の円形状空間２５内においてスロットルバルブ３が所定の全閉位置に保持される。これにより、エンジンの各気筒に連通するスロットルボア１４が全閉されて、エンジンの回転速度がアイドル回転速度となる。
【００５１】
［実施例１の効果］
以上のように、本実施例の内燃機関用スロットル装置においては、スロットルボデー１と同一の射出成形金型内で、スロットルバルブ３をスロットルボデー１と略同時に射出成形することにより、スロットルボデー１の円筒部１３内部にスロットルバルブ３が回転自在に組み込まれた製品形状の樹脂成形品を製造している。そして、本実施例の射出成形金型内には、射出成形工程の前工程、つまり射出成形金型の型締めの際に、ボデーキャビティ５７とバルブキャビティ５８とを液密的に区画（２分割）するようにインサートコア２が予めセットされ、また、スロットルバルブ３を補強する補強部材としてスロットルシャフト４が予めセットされている。そして、インサートコア２のボア内径面３３を、スロットルバルブ３の樹脂ディスク４１の外周側端面３５を成形する射出成形金型の一部として使用することで、スロットルバルブ３の樹脂ディスク４１の外周側端面形状を、インサートコア２のボア内径面形状に倣わせることができる。
【００５２】
これによって、高度な型調整技術や高度な型加工技術を必要とすることなく、スロットルバルブ３の樹脂ディスク４１の外周側端面形状が、インサートコア２のボア内径面形状に倣った形状に射出成形されるため、インサートコア２のボア内径面３３とスロットルバルブ３の樹脂ディスク４１の外周側端面３５との隙間寸法の精度が高精度となり、スロットルバルブ３の全閉時における洩れ空気量を容易に、しかも高精度に確保することができる。また、コアバック法を用いることなく、スロットルボデー１と同一の射出成形金型内で、スロットルバルブ３をスロットルボデー１と略同時に射出成形することが可能となるため、１台の射出成形金型における樹脂成形品の製作時間が短くなるので、サイクルタイムが早くなる。これにより、１台の射出成形金型において樹脂成形品を単位時間当たり多量に製造できるので、生産性を向上することができる。
【００５３】
また、組み付けコストを必要とすることなく、スロットルボデー１とスロットルバルブ３とを樹脂化し、スロットルボデー１内部にインサートコア２をインサート成形した内燃機関用スロットル装置を製造することができる。なお、射出成形金型内にインサートコア２をセットして、スロットルバルブ３をスロットルボデー１と略同時に成形する際にインサートコア２が熱や圧力で変形しない材料（例えば金属材料、セラミックス、樹脂材料等）によってインサートコア２を形成し、更に射出成形金型内にインサートコア２をセットする前に予めインサートコア２のボア内径面３３の内径寸法を高精度で内径切削加工または内径研磨加工しておけば、スロットルバルブ３の樹脂ディスク４１の外周側端面３５が、インサートコア２のボア内径面形状に倣うように射出成形されるため、スロットルバルブ３の樹脂ディスク４１の真円度を高精度に確保することができる。また、インサートコア２の材料として例えば熱可塑性樹脂等の樹脂材料（例えばＰＰＳまたはＰＢＴまたはＰＡまたはＰＰまたはＰＥＩ等）を用いた場合でも、スロットルボデー１およびスロットルバルブ２を成形する樹脂材料よりも融点の高い樹脂材料を用いることが望ましい。
【００５４】
ここで、スロットルボデー１とスロットルバルブ３とを射出成形した後に、成形収縮に伴う変形（成形歪み）が生じ、インサートコア２のボア内径面３３とスロットルバルブ３の樹脂ディスク４１の外周側端面３５との間に設計寸法以上の隙間が形成された場合でも、スロットルバルブ３の全閉位置をバルブ回転角度０°方向へ傾けることで、インサートコア２のボア内径面３３とスロットルバルブ３の樹脂ディスク４１の外周側端面３５との間の隙間を狭くできるので、スロットルバルブ３の全閉時における洩れ空気量を減少できる。また、スロットルバルブ３の全閉時の気密性能を向上できるので、スロットルバルブ３の全閉時に、インサートコア２のボア内径面３３とスロットルバルブ３の樹脂ディスク４１の外周側端面３５との間に形成される隙間が設計通りのサイズとなる。これにより、スロットルバルブ３の全閉時における洩れ空気量が狙い通りの空気量となり、アイドル回転速度が目標値と略一致し、吸入空気量に応じて燃料噴射量を制御するものにおいては、アイドル運転時の燃費を向上することができる。
【００５５】
本実施例の射出成形金型は、ボデーキャビティ５７内に加熱されて溶融状態の樹脂材料を射出するためのボデーゲートと、バルブキャビティ５８内に加熱されて溶融状態の樹脂材料を射出するためのバルブゲートとを、互いに独立して設けている。これにより、同一の射出成形金型内で、且つ同時に射出成形してもランナーを取り去った後は、後加工無くスロットルバルブ３をスロットルボデー１に対して独立に可動させることができる。また、射出成形金型のボデーキャビティ５７と射出成形金型のバルブキャビティ５８との境界面には、インサートコア２が設置されているので、ボデーゲートからボデーキャビティ５７内に射出された溶融状態の樹脂材料とバルブゲートからバルブキャビティ５８内に射出された溶融状態の樹脂材料とが仮に同一の樹脂材料であっても引っ付くことはなく、スロットルボデー１の成形不良等の不良品およびスロットルバルブ３の成形不良等の不良品が少なくなり、スロットルボデー１とスロットルバルブ３とを共に樹脂化した内燃機関用スロットル装置の不良率を低下させることができる。
【実施例２】
【００５６】
図３は本発明の実施例２を示したもので、バリ防止機能を有する射出成形金型の主要構造を示した図である。
【００５７】
本実施例の射出成形金型は、インサートコア２の円形状空間２５の断面形状に対応した形状の第１、第２可動金型６１、６２と、第１、第２可動金型６１、６２に対して図示左右方向に進退（接近・離間、接離）自在に移動可能な分割型のスライドコア６３とによって構成されている。そして、第１、第２可動金型６１、６２は、インサートコア２のボア内径面３３との間に環状空隙を形成する環状外周溝６４、６５を有し、インサートコア２内を円形状空間２５の中心軸線方向に移動可能に設置されている。そして、第１、第２可動金型６１、６２には、インサートコア２のボア内径面３３に接触すると共に、環状空隙をシールする円環状の第１、第２シール部材（バリ防止突起）６６、６７が一体的に組み付けられている。なお、第１、第２シール部材６６、６７は、インサートコア２のボア内径面３３よりも軟らかい材料によって形成されている。
【００５８】
以上の構成により、インサートコア２のボア内径面３３と第１、第２可動金型６１、６２の環状外周溝６４、６５との間に形成される環状空隙が仮に広く、インサートコア２内を円形状空間２５の中心軸線方向に可動型を移動させた場合、その環状空隙が第１、第２シール部材６６、６７によりシールされるので、溶融状態の樹脂材料が射出成形金型のバルブキャビティ５７から環状空隙内に侵入することはなく、スロットルバルブ３の樹脂ディスク４１の外周側端面３５に大きなバリが形成されることはない。また、インサートコア２のボア内径面３３と第１、第２可動金型６１、６２の環状外周溝６４、６５との間に形成される環状空隙が仮に狭く、インサートコア２内を円形状空間２５の中心軸線方向に第１、第２可動金型６１、６２を移動させた場合、第１、第２シール部材６６、６７がインサートコア２のボア内径面３３よりも軟らかい材料によって形成されているので、第１、第２シール部材６６、６７がインサートコア２のボア内径面３３をかじり傷付けてしまうことはない。
【実施例３】
【００５９】
図４は本発明の実施例３を示したもので、図４（ａ）はインサートコアの軸受構造の一例を示した図で、図４（ｂ）はインサートコアの軸受構造の他の例を示した図である。
【００６０】
本実施例のスロットルバルブ３は、スロットルボデー１の円筒部１３のスロットルボア１４およびインサートコア２の円形状空間２５の中心軸線方向に対して略直交する方向に回転中心軸線を有するスロットルシャフト４を一体的に組み付けている。そして、スロットルシャフト４の回転中心軸線方向（軸方向）の両端部は、スロットルバルブ３の樹脂ディスク４１の外周側端面３５からインサートコア２側に突き出すように設置されている。そして、インサートコア２には、スロットルシャフト４の軸方向の両端部（第１、第２軸受摺動部）を回転自在に支持する第１、第２バルブ軸受部２６、２７が一体的に形成されている。
【００６１】
そして、第１、第２バルブ軸受部２６、２７内には、スロットルシャフト４の軸方向の両端部（第１、第２軸受摺動部）が貫通する丸穴形状の第１、第２シャフト貫通孔３１、３２が設けられている。そして、インサートコア２の第１、第２シャフト貫通孔３１、３２の内周には、スロットルシャフト４の軸方向の両端部（第１、第２軸受摺動部）を回転方向に摺動自在に軸支する第１、第２摺動孔７１、７２を有する軸受部材９が圧入嵌合されている。なお、軸受部材９は、耐摩耗性に優れる焼結軸受材料によって所定の略円筒形状に一体的に形成された滑り軸受またはスラスト軸受または軸受ブッシュである。
【００６２】
ここで、図４（ａ）に示したように、スロットルボデー１とスロットルバルブ３とを射出成形し、その後に軸受部材９をインサートコア２の第１、第２シャフト貫通孔３１、３２内に圧入嵌合しても良い。また、図４（ｂ）に示したように、インサートコア２を射出成形金型内にセットする前に、予め軸受部材９をインサートコア２の第１、第２シャフト貫通孔３１、３２内に圧入嵌合しておき、スロットルボデー１の円筒部１３にインサートコア２と同時に軸受部材９をインサート成形するようにしても良い。これによって、インサートコア２の第１、第２シャフト貫通孔３１、３２の中心軸線または軸受部材９の第１、第２摺動孔７１、７２の中心軸線とスロットルシャフト４の回転中心軸線との同軸度を高精度に確保することができる。
【実施例４】
【００６３】
図５は本発明の実施例４を示したもので、図５（ａ）はインサートコアの軸受構造を示した図で、図５（ｂ）はインサートコアを示した図である。
【００６４】
本実施例のインサートコア２は、耐摩耗性に優れる焼結軸受材料によって形成されている。このインサートコア２の第１、第２シャフト貫通孔３１、３２は、スロットルシャフト４の軸方向の両端部（第１、第２軸受摺動部）を回転方向に摺動自在に軸支する摺動孔として機能している。これによって、インサートコア２の第１、第２シャフト貫通孔３１、３２の内周に軸受部材９を圧入嵌合する必要はなく、組付コストを削減できる。
【００６５】
また、インサートコア２の第１、第２シャフト貫通孔３１、３２の中心軸線とスロットルシャフト４の回転中心軸線との同軸度を高精度に確保することができる。そして、本実施例のインサートコア２の第１、第２バルブ軸受部２６、２７の外壁面は、インサートコア２の外壁面３４よりも軸方向の両端側（外方側）に突出するように形成されている。また、インサートコア２の第１、第２バルブ軸受部２６、２７の外壁面は、スロットルボデー１の円筒部１３の外周面よりも軸方向の両端側（外方側）に突出するように形成されている。なお、第１、第２バルブ軸受部２６、２７の外壁面を、インサートコア２の外壁面３４と同一平面上となるように設けても良い。
【００６６】
［変形例］
本実施例では、本発明を、駆動モータ（アクチュエータ）の回転動力を、歯車減速機構等の動力伝達機構を経てスロットルシャフト（本例ではスロットルシャフト４）に伝達して、スロットルバルブ３の回転角度（弁開度、バルブ開度、スロットル開度）をドライバーのアクセル操作量に応じて制御する内燃機関用スロットル装置（電子制御式スロットル制御装置）に適用した例を説明したが、本発明を、駆動モータ等の動力ユニットを有しない内燃機関用スロットル装置に採用しても良い。この場合には、スロットルシャフト４の他端部（または一端部）に一体的に設けたバルブギヤ６の代わりに、アクセルペダルまたはスロットルレバーにワイヤーケーブルを介して機械的に連結されるアクセルレバーを設ける。このようにしても、ドライバーのアクセル操作量をスロットルバルブ３およびスロットルシャフト４に伝えることができる。
【００６７】
本実施例では、スロットルバルブ３を樹脂材料によって一体的に形成し、且つスロットルシャフト４を金属材料によって一体的に形成した例を説明したが、スロットルバルブ３およびスロットルシャフト４の両方を樹脂材料によって一体的に形成しても良い。また、スロットルシャフト４のバルブ保持部の外周に樹脂製シャフト部（円筒状部）を形成し、スロットルバルブ３の樹脂製シャフト部（樹脂シャフト４２）とスロットルシャフト４の樹脂製シャフト部とを熱溶着して結合するようにしても良い。また、全閉ストッパ部または全開ストッパ部のいずれか一方または両方を、スロットルバルブ３またはスロットルシャフト４に直接設けても良い。この場合には、インサートコア２のボア内径側に、全閉ストッパまたは全開ストッパのいずれか一方または両方が設けられることになる。
【００６８】
また、スロットルボデー１の円筒部１３の第１、第２バルブ軸受部１５、１６の第１、第２シャフト貫通孔２１、２２の内周面またはインサートコア２の第１、第２シャフト貫通孔３１、３２の内周面とスロットルシャフト４の軸方向の両端部の外周面との間に、フッ素系樹脂等の潤滑性に優れる潤滑剤を塗布しても良い。また、スロットルシャフト４の軸方向の両端部の外周面に離型剤または潤滑剤（例えばフッ素系樹脂、二硫化モリブデン等）を塗布しても良い。これにより、スロットルバルブ３およびスロットルシャフト４の制御応答性を更に向上できる。
【００６９】
また、スロットルボデー１およびスロットルバルブ３を成形する樹脂材料として、加熱されて溶融状態の樹脂材料（例えば熱可塑性樹脂よりなる溶融樹脂）に充填材（例えば高強度で低コストなガラス繊維、または粉末状の金属（アルミニウム等）、またはファイバー状の金属、あるいは粉末状のカーボン、または炭素繊維、または寸法精度に優れたミネラル（炭化カルシウム：ＣａＣＯ3 等））または添加剤を混合または添加した樹脂系の複合材料（例えばガラス繊維３０％入りのポリブチレンテレフタレート：ＰＢＴＧ３０や、ガラス繊維５０％入りのポリフェニレンサルファイド：ＰＰＳＧ５０）を用いても良い。  
【００７０】
なお、スロットルバルブ３の樹脂シャフト４２の内周とスロットルシャフト４のバルブ保持部の外周との間の食い付き性（結合性能）を向上し、且つスロットルバルブ３のスロットルシャフト４に対する軸方向の相対運動を防止する目的で、つまりスロットルシャフト４のバルブ保持部からのスロットルバルブ３の抜けを防止する目的で、スロットルシャフト４のバルブ保持部の外周面の一部または全部にローレット加工等を施しても良い。例えばスロットルシャフト４のバルブ保持部の外周面の一部または全部に刻み目または凹凸部を形成しても良い。あるいはスロットルシャフト４のバルブ保持部の断面形状を２面幅を有する略円形状とし、また、スロットルバルブ３の樹脂シャフト４２の断面形状を２面幅を有する略円筒形状としても良い。これにより、スロットルバルブ３とスロットルシャフト４との回転方向の相対回転運動を防止できる。
【図面の簡単な説明】
【００７１】
【図１】射出成形金型の概略構造を示した断面図である（実施例１）。
【図２】（ａ）は内燃機関用スロットル装置の主要構造を示した断面図で、（ｂ）はインサートコアを示した斜視図である（実施例１）。
【図３】バリ防止機能を有する射出成形金型の主要構造を示した断面図である（実施例２）。
【図４】（ａ）はインサートコアの軸受構造の一例を示した分解図で、（ｂ）はインサートコアの軸受構造の他の例を示した断面図である（実施例３）。
【図５】（ａ）はインサートコアの軸受構造を示した断面図で、（ｂ）はインサートコアを示した斜視図である（実施例４）。
【符号の説明】
【００７２】
１  スロットルボデー
２  インサートコア
３  スロットルバルブ
４  スロットルシャフト
９  軸受部材
１３  スロットルボデーの円筒部
１４  スロットルボデーのスロットルボア
２５  インサートコアの円形状空間
３１  インサートコアの第１シャフト貫通孔（摺動孔）
３２  インサートコアの第２シャフト貫通孔（摺動孔）
３３  インサートコアのボア内径面
３５  スロットルバルブの外周側端面
５１  固定金型（射出成形金型）
５２  可動金型（射出成形金型）
５７  射出成形金型内のボデーキャビティ
５８  射出成形金型内のバルブキャビティ
６１  第１可動金型（可動型）
６２  第２可動金型（可動型）
６４  第１可動金型の環状外周溝（外周部）
６５  第２可動金型の環状外周溝（外周部）
６６  第１可動金型の第１シール部材（バリ防止突起）
６７  第２可動金型の第２シール部材（バリ防止突起）
７１  軸受部材の第１摺動孔
７２  軸受部材の第２摺動孔
【図１】
2006150875.tif 000003
【図２】
2006150875.tif 000004
【図３】
2006150875.tif 000005
【図４】
2006150875.tif 000006
【図５】
2006150875.tif 000007